(57)【特許請求の範囲】
【請求項１】
通信線に複数の照明装置を接続し、各照明装置間で連動運転する照明制御システムにおいて、
前記照明装置は、
通信線を介して他の照明装置と通信を行う通信手段と、
所定エリアを照明する照明器具と、
近隣の照明装置の照明エリアの少なくとも一部が重複する前記所定エリアの照度を検出する照度センサと、
記憶手段を内蔵し、前記通信手段を制御すると共に、前記照度センサによる検出結果に基づいて前記照明器具を制御する照明コントローラと、を備え、
連動運転前に１つの照明装置は、自身の照明器具を点滅させるとともに自身に割り当てられた識別番号を前記通信手段経由で他の照明装置に送信し、
他の照明装置の内で、前記照度センサが検出した前記照明装置の点滅による照度の変化が前記所定値以上の照明装置は、前記通信手段経由で受信した前記点滅中の照明装置の識別番号を近隣照明装置のものであると認識して自身の記憶手段に記憶する、という動作を前記複数の照明装置のすべてについて順次実行しておき、
連動運転時に、照明の出力変化を起こした照明装置の照明コントローラは前記記憶手段に記憶されている少なくとも１つの識別番号に基づいて近隣の照明装置を特定し、この特定した近隣の照明装置に対して、特定のコマンドを送信し、
この特定のコマンドを受信した近隣の照明装置の照明コントローラは前記照明器具への出力の変化を通常の変化量より小さくするように抑制することを特徴とする照明制御システム。
【請求項２】
前記照明の出力変化を起こした照明装置の照明コントローラが送信する特定コマンドを変化抑制コマンドとしたことを特徴とする請求項１記載の照明制御システム。
【請求項３】
連動運転時に、照明を消灯操作した照明装置の照明コントローラは前記記憶手段に記憶されている少なくとも１つの識別番号に基づいて近隣の照明装置を特定し、この特定した近隣の照明装置に対して変化抑制コマンドを送信し、照明を点灯操作した場合には、解除コマンドを前記近隣の照明装置に対して送信することを特徴とする請求項１記載の照明制御システム。
【請求項４】
連動運転前に前記照明装置は自己の識別番号に応じて所定の時間遅延の後、一定の期間点滅を繰り返すことを特徴とする請求項１記載の照明制御システム。
【請求項５】
前記照明装置は、
さらに所定エリアの人の在不在を検出する人感センサを備え、
前記照明コントローラは、さらに前記人感センサによる検出結果に基づいて前記照明器具を点滅制御し、
前記照明コントローラが送信する特定コマンドを不在検出のコマンドとしたことを特徴とする請求項１記載の照明制御システム。
【請求項６】
所定のエリアを複数に分割し、分割したエリア毎に照度と人の在不在を検出する手段、通信線を介して複数の照明装置と通信を行う通信手段、分割エリア毎に制御対象の照明コントローラの識別番号ならびに目標とする明るさの設定値を記憶する手段、を有するマルチエリアセンサを備え、
各照明装置の通信手段は、前記通信線を介して他の照明装置および前記マルチエリアセンサと通信を行い、
前記照明装置の照明器具は前記分割エリアを照明し、
前記照明装置のコントローラはさらに前記マルチエリアセンサによる検出結果に基づいて前記照明器具を制御し、
前記照明装置は前記分割エリア毎に配置され、
前記マルチエリアセンサは、前記特定エリアの照明器具の点滅による出力変化による他のエリアへの影響度に応じて近隣エリアを照明する照明装置の照明コントローラへ前記照明器具への出力の変化を通常の変化量より小さくするように抑制するように特定コマンドを送信することを特徴とする請求項１記載の照明制御システム。
【発明の詳細な説明】
【０００１】
【発明の属する技術分野】
この発明は、自動調光照明を行う照明制御システムに関するものである。
【０００２】
【従来の技術】
図８は例えば特開平１０−１０６７５９号公報に示された従来の自動調光制御システムの構成図、図９はこの自動調光制御システムにおける人感センサのない照明ユニットの構成図、図１０は人感センサを有する照明ユニットの構成図、図１１はこの自動調光制御システムの伝送ユニットの構成図である。
【０００３】
図において、伝送ユニット１に接続した信号線４に２種類の照明ユニット２および３を接続してある。照明ユニット２、３は、図９、１０に示すように、信号線５に接続され、信号線５を伝送される伝送信号を授受する伝送処理部２１とそれぞれの照明ユニット２、３ごとに独自に既定される識別コードを格納したＲＯＭよりなる識別コード設定部としてのコード記憶部２２とを備えている。
【０００４】
伝送処理部２１では伝送信号に含まれる識別コードと比較し、両者が一致すると、伝送信号に含まれる制御データにもとづいて照明負荷４を制御する。識別コードは、メーカ出荷時に既に設定されており、製造番号のように各照明ユニット２、３毎に異なるコードが用いられる。照明負荷４は照明制御部２３を介して制御される。ここで、照明制御部２３は照明負荷４の点灯・消灯の制御を行うものだけでなく、調光制御の可能なものを用いる場合もある。
【０００５】
ところで、照明ユニット２は周囲照度を検出する照度センサ２４のみを備えるが、照明ユニット３は周囲照度を検出する照度センサ２４に加えて、所定の検知エリア内の人の存否を検出する人感センサ２５を備える。そこで、コード記憶部２２には上述した識別コードに加えて照明ユニット２、３の構成に応じた種別コードも格納してある。
【０００６】
伝送処理部２１では、照度センサ２４により検出される照度を伝送ユニット１に伝送し、また人感センサ２５により検知エリア内への人の入出を検知すると伝送ユニット１へ報知する。
照明ユニット２、３はそれぞれ器具本体に収納され、１つの照明器具として扱うことができるよう構成されている。
【０００７】
次に動作について説明する。
まず、各照明ユニット２、３は伝送ユニット１へ照明ユニット２、３の識別コードと人感センサの有無を通知する。次に伝送ユニット１は人感センサを持つ照明ユニット３へ照明負荷４の点灯を順次指示し、点灯した照明負荷４の周囲にある照明ユニット２、３では照度センサ２４の出力が所定値以上であるとその識別コードを伝送ユニット１へ伝送する。
【０００８】
伝送ユニット１では、伝送処理部１１は識別コードを受信し、関連テーブル１２に点灯した照明ユニットの識別コードに関連付けて記憶する。これにより、伝送ユニット１は、人感センサ２５の周囲に配置され同時に点灯させる必要のある照明ユニット２、３の識別コードを取得し、自動的に関連テーブル１２を作成する。
【０００９】
例えば図８の識別番号［１］の人感センサ付き照明ユニット３に識別番号［３］の照明ユニット２が関連付けられた場合について説明する。
照明ユニット３では、人感センサ２５により人の存在を検知すると、照明制御部２３は照明負荷４を点灯し、さらに伝送処理部２１により伝送ユニット１へその情報を送信する。
【００１０】
伝送ユニット１では、関連テーブル１２を参照し、関連付けされている識別番号［３］の照明ユニット２へ点灯の指令を送信する。照明ユニット２では、伝送処理部２１を介し点灯指令を受けると、照明制御部２３により照明負荷４を点灯する。
以上ように関連付けられた照明ユニット２、３は、人感センサ２５の検知状態に応じ、連動運転を行う。
【００１１】
【発明が解決しようとする課題】
上記のような従来の照明制御システムでは、人感センサ２５近隣の照明ユニット２、３が関連付けられ、人感センサ２５（以下、便宜上２５Ａという）の検出状態に応じて各関連付けられた照明ユニット２、３（以下、便宜上２Ａ、３Ａという）が照明負荷４を連動運転した場合に、照明ユニット２Ａ、３Ａの近隣に設置され、別に関連付けられた照明ユニット２、３（以下、便宜上２Ｂ、３Ｂという）は、人感センサ２５Ａの検出に基づく照明ユニット２Ａ、３Ａの点灯・消灯によって照度が変化した分を連動運転該当の照明ユニット２Ｂ、３Ｂが寄与する比率に応じて補うことになる。
【００１２】
すなわち、人感センサ２５Ａが人のいないことを検出し、この検出に応じて照明ユニット２Ａ、３Ａが消灯し、電力削減を行ったとしても、照明ユニット２Ｂ、３Ｂが照度不足と判断し、照明ユニット２Ａ、３Ａの消灯による照度の変化分を寄与する比率に応じて補い、照度を高めるため、電力を多く消費してしまう。
よって、システム全体としては、エネルギー削減効果を十分に高めることができないという問題点があった。
【００１３】
この発明は上述のような課題を解決するためになされたもので、エネルギー削減効果を高め、省エネルギー効果の高い照明制御システムを得るものである。
【００１４】
【課題を解決するための手段】
この発明に係る照明制御システムにおいては、照明装置は、通信線を介して他の照明装置と通信を行う通信手段と、所定エリアを照明する照明器具と、近隣の照明装置の照明エリアの少なくとも一部が重複する所定エリアの照度を検出する照度センサと、記憶手段を内蔵し、通信手段を制御すると共に、照度センサによる検出結果に基づいて照明器具を制御する照明コントローラと、を備え、連動運転前に１つの照明装置は、自身の照明器具を点滅させるとともに自身に割り当てられた識別番号を通信手段経由で他の照明装置に送信し、他の照明装置の内で、照度センサが検出した照明装置の点滅による照度の変化が所定値以上の照明装置は、前記通信手段経由で受信した点滅中の照明装置の識別番号を近隣照明装置のものであると認識して自身の記憶手段に記憶するという動作を複数の照明装置のすべてについて順次実行しておき、連動運転時に、照明の出力変化を起こした照明装置の照明コントローラは、記憶手段に記憶されている少なくとも１つの識別番号に基づいて近隣の照明装置を特定し、この特定した近隣の照明装置に対して、特定のコマンドを送信し、特定のコマンドを受信した近隣の照明装置の照明コントローラは照明器具への出力の変化を通常の変化量より小さくするように抑制するものである。
【００１５】
また、前記照明の出力変化を起こした照明装置の照明コントローラが送信する特定コマンドを変化抑制コマンドとしたものである。
【００１６】
さらに、連動運転時に、照明の消灯操作した照明装置では、前記照明コントローラが前記記憶手段に記憶されている少なくとも１つの識別番号に基づいて近隣の照明装置を特定し、この特定した近隣の照明装置に対して変化抑制コマンドを送信し、照明を点灯操作した場合には、解除コマンドを前記近隣の照明装置に対して送信するものである。
【００１７】
また、連動運転前に照明装置は自己の識別番号に応じて所定の時間遅延の後、一定の期間点滅を繰り返すものである。
【００１８】
また、照明装置は、さらに所定エリアの人の在不在を検出する人感センサを備え、照明コントローラは、さらに前記人感センサによる検出結果に基づいて照明器具を点滅制御し、照明コントローラが送信する特定コマンドを不在検出のコマンドとしたものである。
【００１９】
また、所定のエリアを複数に分割し、分割したエリア毎に照度と人の在不在を検出する手段、通信線を介して複数の照明装置と通信を行う通信手段、分割エリア毎に制御対象の照明コントローラの識別番号ならびに目標とする明るさの設定値を記憶する手段、を有するマルチエリアセンサを備え、各照明装置の通信手段は、通信線を介して他の照明装置およびマルチエリアセンサと通信を行い、照明装置の照明器具は前記分割エリアを照明し、照明装置のコントローラはさらにマルチエリアセンサによる検出結果に基づいて照明器具を制御し、照明装置は分割エリア毎に配置され、マルチエリアセンサは、特定エリアの照明器具の点滅による出力変化による他のエリアへの影響度に応じて近隣エリアを照明する照明装置の照明コントローラへ前記照明器具への出力の変化を通常の変化量より小さくするように抑制するように特定コマンドを送信するものである。
【００２０】
【発明の実施の形態】
実施の形態１．
図１はこの発明の実施の形態１である照明制御システムの構成図、図２はこの照明制御システムの配置を示す図、図３はこの照明制御システムの設置時に行われる近隣照明の設定手順を示す図、図４はこの照明制御システムの動作を示す図である。
【００２１】
図において、５は信号線、３０は照明装置であり、照明コントローラ３１、所定エリアの人の在不在を検出する人感センサ３２、所定エリアの照度を計測する照度センサ３３、通信手段３４、照明出力負荷である照明器具３５から構成される。
この照明制御システムでは、３台の照明装置３０によるシステム構成例を示し、伝送線５により各照明装置３０が互いに接続されている。
【００２２】
次に、動作について説明する。
まず、３台の照明装置３０にそれぞれａ、ｂ、ｃなる識別番号を与え、識別番号ａの照明装置３０を照明装置ａ３０とし、同様に識別番号ｂ、ｃの照明装置３０をそれぞれ照明装置ｂ３０、ｃ３０とする。
【００２３】
そこで、３台の照明装置ａ３０、ｂ３０、ｃ３０は、図２に示すように横並びに配置する。そして、各照明装置３０を稼動させ、最初に各照明装置３０は自己の識別番号に応じて、所定の時間遅延の後、一定の期間点滅を繰り返す。それと共に図３に示すように通信手段３４により自己の識別番号を送信し、かつ、所定の期間、設定モードとなり、近隣照明の検出を行う。
【００２４】
近隣照明の検出について詳述する。
照明装置ａ３０は、照明コントローラ３１により照明器具３５の点滅を開始し、同時に通信手段３４により自己の識別番号ａと点滅している旨を伝えるコマンドを照明装置ｂ３０、ｃ３０へ送信する。そこで、照明装置ｂ３０、ｃ３０は各照度センサ３２により明るさの変化を検出する。その変化幅があらかじめ定められた近隣を示す値以上である場合は、通信手段３４により上述のコマンドを受信し、照明コントローラ３１に照明装置ａ３０の近隣照明であることを記憶する。
【００２５】
図２の配置の場合では、照明装置ａ３０の照明エリアは、照明装置ｂ３０の設置エリアと重複しているため、照明装置ｂ３０では照度センサ３３により検出される明るさの変化幅が近隣を示す所定値以上となるため、照明装置ａ３０を近隣照明と認識し、このことを照明コントローラ３１に記憶する。
また、照明装置ｃ３０では照度センサ３３により検出される明るさの変化幅が近隣を示す所定値以上にならないため、照明装置ａ３０を近隣照明と認識しない。
照明装置ａ３０は所定の時間経過後、点滅と自己識別番号の送信を停止する。
【００２６】
次に、照明装置ｂ３０が上記照明装置ａ３０と同様に点滅と自己の識別番号の送信を開始する。照明装置ｂ３０の照明エリアは照明装置ａ３０、ｃ３０と重複しているため、上述と同様の手順で照明装置ａ３０、ｃ３０は照明装置ｂ３０を近隣照明と認識し、このことを記憶する。
照明装置ｃ３０についても同様に初期の近隣照明検出が行われる。
各照明装置３０は以上の所定の設定モード期間が経過した後に、通常運転に移る。
【００２７】
よって、３台の照明装置ａ３０、ｂ３０、ｃ３０が図２のように配置された場合には、照明装置ａ３０は照明装置ｂ３０を、照明装置ｂ３０は照明装置ａ３０、ｃ３０を、照明装置ｃ３０は照明装置ｂ３０をそれぞれ近隣照明として登録する。
【００２８】
上述のように近隣照明が設定され、通常運転が開始される。そこで、例えば、照明装置ｂ３０に照明の出力変化が起きた場合には、通信手段３４により記憶している近隣照明装置ａ３０、ｃ３０へ変化抑制のコマンドを送信する。照明装置ａ３０、ｃ３０では、通信手段３４により変化抑制のコマンドを受信し、照明コントローラ３１により自己の照度センサ３３が明るさの変化を検出しても、照明器具３５への出力変化の量を通常の変化量より小さくするように制御する。
【００２９】
すなわち、照明装置ｂ３０において、人感センサ３２により照明エリア内で人の不在が検出され、照明器具３５を消灯操作し、照明器具３５による点灯分の消費電力を削減した場合には、照明エリア内の照度が低下し、近隣の照明装置ａ３０、ｃ３０の照度センサ３３が照度低下を検出する。ここで、もし近隣照明として照明装置ａ３０、ｃ３０が登録されていなければ、照明装置ａ３０、ｃ３０は照度低下と判断し、照明装置ａ３０、ｃ３０の照明器具３５の照度を上げ、消費電力を増大させることになるが、近隣照明として登録されているため、照明器具３５の照度の上げ幅を低くし、消費電力の増大を抑える。
【００３０】
このように照明器具３５への出力量を小さくすることにより、例えば照明装置ｂ３０が消灯した場合には、近隣照明装置ａ３０、ｃ３０の出力増大が抑制され、消灯による消費電力削減の効果が少なくなることを防止できる。また、照明装置ａ３０、ｃ３０の照明エリアのみに居る人にとっては、明るすぎるという不快感を回避できる。
【００３１】
その後、照明装置ｂ３０が点灯操作された場合には、照明装置ｂ３０の照明コントローラ３１は通信手段３４により照明装置ａ３０、ｃ３０に対して照明器具３５への出力抑制を解除するコマンドを送信し、通常の運転モードに復帰する。
【００３２】
実施の形態２．
図５はこの発明の実施の形態２である照明制御システムの動作を示す図である。また、照明制御システムの構成図、配置図はそれぞれ図１、図２を用いる。
【００３３】
次に動作について説明する。
まず、照明装置ｂ３０の照明エリア内で人が不在となった場合には、図４のステップ１のように、照明装置ｂ３０の人感センサ３２が不在を検出し、照明コントローラ３１は照明器具３５への出力を変化させ、消灯を行う。このとき照明装置ｂ３０は記憶している近隣照明装置ａ３０、ｃ３０へ通信手段３４により不在検出のコマンドを送信する。
【００３４】
照明装置ａ３０、ｃ３０は通信手段３４を介して照明コントローラ３１により不在検出のコマンドを受信する。これにより、照明装置ａ３０、ｃ３０の照度センサ３３が明るさの変化を検出しても、照明器具３５への出力変化の量を通常の変化量より小さくなるように制御する。
【００３５】
次に、照明装置ａ３０の照明エリア内で人が不在となった場合には、図４のステップ２のように、照明装置ａ３０の人感センサ３２が不在を検出し、照明コントローラ３１は照明装置３５への出力を変化させ、消灯を行う。このとき照明装置ａ３０は記憶している近隣照明装置ｂ３０へ通信手段３４により不在検出のコマンドを送信する。
【００３６】
照明装置ｂ３０は通信手段３４を介して照明コントローラ３１により不在検出のコマンドを受信する。これにより、照明装置ｂ３０の照度センサ３３が明るさの変化を検出しても、照明器具３５への出力変化の量を通常の変化量より小さくなるように制御する。なお、このときは照明装置ｃ３０へのコマンド送信は行われない。
【００３７】
次に、照明装置ｂ３０の照明エリア内に人が入った場合には、図４のステップ３のように、照明装置ｂ３０の人感センサ３２が人の存在を検出し、照明コントローラ３１は照明器具３５への出力を変化させ、点灯を行う。さらに、照明コントローラ３１は照明装置ａ３０、ｃ３０へ通信手段３４により在室のコマンドを送信する。
【００３８】
照明装置ａ３０とｃ３０は通信手段３４を介して照明コントローラ３１により在室のコマンドを受信する。これにより、照明器具３５への出力抑制を解除し、通常の運転モードに復帰する。
【００３９】
以上のように、人の在不在に応じて近隣照明の出力の量を小さくすることにより、消灯による消費電力削減の効果が少なくなることを防止でき、また、明るすぎると言った不快感が回避できる。
【００４０】
実施の形態３．
図６はこの発明の実施の形態３である照明制御システムの構成図、図７はこの照明制御システムの配置を示す図である。図において、上記実施形態と同一または相当部分には同一符号を付ける。
照明装置３０は、照明出力を調節する機能および識別番号を有する照明コントローラ３１と、通信手段３４と、連続調光インバータの照明器具３５とから構成される。
【００４１】
３６はマルチエリアセンサであり、所定のエリアを複数に分割し、分割されたエリア毎に照度と人の在不在を検出する検出手段と、分割されたエリア毎に制御対象の照明コントローラ３１の識別番号と目標とする明るさ設定値を記憶する記憶手段とから構成される。
照明制御システムは、照明装置３０を複数設置し、照明装置３０とマルチエリアセンサ３６が各通信手段３４により互いに接続されるように構成する。
【００４２】
また、照明エリアは、例えば図７に示すように横並びにエリアＡ、エリアＢ、エリアＣとし、各エリアには照明コントローラ３１を配置するとともに、マルチエリアセンサ３６を照明エリアの中央に配置し、各エリア毎に照度および人の在不在を検出する。
【００４３】
次に動作について説明する。
まず、初期設定として、マルチエリアセンサ３６は、各エリアの照明コントローラ３１へ順次点滅のコマンドを送信し、照明コントローラ３１により照明器具を点灯・消灯させ、その時の他のエリアへの影響度合いを検出し記憶する。
【００４４】
その後、通常動作に移り、マルチエリアセンサ３６は、エリア毎に設定された目標の明るさとなるように、エリア毎に照度を検出しながら、通信手段３４を介して各照明コントローラ３１へコマンドを送り、照明器具３５への出力を調整し、明るさの一定制御を行う。
【００４５】
ここで、例えばエリアＢにおいて、マルチエリアセンサ３６が不在を検出した場合には、通信手段３４を介し、エリアＢの照明コントローラ３１へ消灯あるいは減光のコマンドを送信する。このときに、エリアＡとエリアＣの照明コントローラ３１へは、エリアＢの消灯あるいは減光の影響度に応じて、出力の増加幅を減じた増光のコマンドを送信する。
【００４６】
このように、あるエリアの照明出力に変化を起こすような場合には、そのエリアの近隣の明るさが極度に明るくならないよう変化幅を押さえた照明出力となるように制御を行うことにより、快適性を維持しつつ省エネルギーを実現する。
また、マルチエリアセンサ３６により近隣の照明の影響を検出する手順を自動化できるため、容易な設定で省エネ効果と快適性が両立した照明システムを実現できる。
【００４７】
また、上記照明制御では、照明コントローラ３１へ照明出力を直接指示したものを示したが、不在エリアの近隣エリアについては、目標の明るさ設定を不在の影響度に応じて減少し、照明出力を過大とならないよう制御に制限をかける制御を行なってもよく、同様な効果を奏する。
【００４８】
【発明の効果】
この発明は、以上説明したのように構成されているので、以下に示すような効果を奏する。
【００４９】
連動運転前に１つの照明装置は、自身の照明器具を点滅させるとともに自身に割り当てられた識別番号を他の照明装置に送信し、他の照明装置の内で、照度センサが検出した照度の変化が所定値以上の照明装置は、受信した点滅中の照明装置の識別番号を近隣照明装置のものであると認識して自身の記憶手段に記憶するという動作を複数の照明装置のすべてについて順次実行しておき、連動運転時に、照明の出力変化を起こした照明装置の照明コントローラが記憶手段に記憶されている少なくとも１つの識別番号に基づいて近隣の照明装置を特定し、この特定した近隣の照明装置に対して、特定のコマンドを送信し、この特定のコマンドを受信した近隣の照明装置の照明コントローラは前記照明器具への出力の変化を通常の変化量より小さくするように抑制するので、制御の為の親局が不要で低コストであり、照明制御による省エネルギーの効果が高くかつ快適性を阻害しない照明制御システムを得ることができる。
【００５０】
また、照明エリアの重複する近隣の照明装置を検出するとともに、前記人感センサの検出結果に基づく照明器具の点滅時に、この点滅による照度変化を近隣の照明装置の照度センサが検出し、近隣の照明装置が前記照明コントローラにより照明器具を制御する場合、照明器具の照度を抑制するので、制御の為の親局が不要で低コストであり、照明制御による省エネルギーの効果が高くかつ快適性を阻害しない照明制御システムを得ることができる。
【００５１】
また、照明装置は照明エリアの重複する近隣の照明装置を検出するとともに、マルチエリアセンサは、初期設定時に特定エリアの照明器具の点滅による出力変化による他のエリアへの影響度を検出して記憶しておき、通常動作においてマルチエリアセンサの検出結果に基づく照明器具の点滅時に、この点滅による照度変化をマルチエリアセンサが検出し、記憶した他のエリアへの影響に応じて近隣エリアを照明する照明装置の照明コントローラへ前記照明器具への出力の変化を通常の変化量より小さくするように抑制するように特定コマンドを送信するので、マルチエリアセンサにより照明コントローラ相互の関連度合いを把握し、照明をその関連度合いに応じ制御することが一つのセンサで実現可能となり、低コストで省エネ効果が高く、快適性の向上した照明制御システムを得ることができる。さらに、マルチエリアセンサにより近隣の照明の影響を検出する手順を自動化できるため、容易な設定で省エネ効果と快適性が両立した照明システムを得ることができる。
【図面の簡単な説明】
【図１】  この発明の実施の形態１を示す照明制御システムの構成図である。
【図２】  この発明の実施の形態１を示す照明制御システムの配置図である。
【図３】  この発明の実施の形態１を示す照明制御システムの動作を示す図である。
【図４】  この発明の実施の形態１を示す照明制御システムの動作を示す図である。
【図５】  この発明の実施の形態２を示す照明制御システムの動作を示す図である。
【図６】  この発明の実施の形態３を示す照明制御システムの構成図である。
【図７】  この発明の実施の形態３を示す照明制御システムの配置図である。
【図８】  従来の照明制御システムの構成図である。
【図９】  従来の照明制御システムの照明ユニットの構成図である。
【図１０】  従来の照明制御システムの照明ユニットの構成図である。
【図１１】  従来の照明制御システムの伝送ユニットの構成図である。
【符号の説明】
５  伝送線、３０  照明装置、３１  照明コントローラ、３２  人感センサ、３３  照度センサ、３４  通信手段、３５  照明器具、３６  マルチエリアセンサ。
【図１】
0003849739.tif 000002
【図２】
0003849739.tif 000003
【図３】
0003849739.tif 000004
【図４】
0003849739.tif 000005
【図５】
0003849739.tif 000006
【図６】
0003849739.tif 000007
【図７】
0003849739.tif 000008
【図８】
0003849739.tif 000009
【図９】
0003849739.tif 000010
【図１０】
0003849739.tif 000011
【図１１】
0003849739.tif 000012